(57)【要約】【課題】キャスティング性能及び潜行性能を確保しつつ、着水後のリトリーブ時にルアーが多彩な挙動をすることが可能な重心移動式ルアーを提供する。【解決手段】ルアーボディ１１の先端部に付設されたリップ１２と、ルアーボディ１１に内蔵されたバランスウェイト１６とを備え、バランスウェイト１６をガイド１７上に転動させてルアーボディ１１の長手方向に沿って移動し得るように構成された重心移動式ルアーであって、ガイド１７の前部に形成されたバランスウェイト１６を保持可能なホルダ部１８を備え、ホルダ部１８は、バランスウェイト１６をルアーボディ１１の幅方向に転位させるスペースを有すると共にその底部のうち少なくとも一部がウェイト１９で構成される。【選択図】図２
0003124012.tif 000002
【実用新案登録請求の範囲】
【請求項１】
ルアーボディの先端部に付設されたリップと、前記ルアーボディに内蔵されたバランスウェイトとを備え、前記バランスウェイトをガイド上に転動させて前記ルアーボディの長手方向に沿って移動し得るように構成された重心移動式ルアーであって、
前記ガイドの前部に形成された前記バランスウェイトを保持可能なホルダ部を備え、前記ホルダ部は、前記バランスウェイトを前記ルアーボディの幅方向に転位させるスペースを有すると共にその底部のうち少なくとも一部がウェイトで構成されることを特徴とする重心移動式ルアー。
【請求項２】
前記ホルダ部の前記底部を、前記ルアーボディの底面より高く位置させたことを特徴とする請求項１に記載の重心移動式ルアー。
【請求項３】
前記ホルダ部の前記底部のうち少なくとも一部は金属面であることを特徴とする請求項１又は２に記載の重心移動式ルアー。
【請求項４】
前記ホルダ部の前記底部のうち少なくとも一部は曲面状であることを特徴とする請求項１〜３のいずれか１項に記載の重心移動式ルアー。
【請求項５】
前記ホルダ部の前記底部のうち少なくとも一部は角形状又は異形状であることを特徴とする請求項３に記載の重心移動式ルアー。
【請求項６】
前記バランスウェイトは金属球であることを特徴とする請求項１〜５のいずれか１項に記載の重心移動式ルアー。
【請求項７】
前記ルアーボディに内蔵されて転動可能なボールを１つ又は複数備えたことを特徴とする請求項１〜６のいずれか１項に記載の重心移動式ルアー。
【考案の詳細な説明】
【技術分野】
【０００１】
本考案は、クランクベイト・ルアー等の釣り用ルアーのうち、重心移動機構を備えた重心移動式ルアーに関する。
【背景技術】
【０００２】
クランクベイト・ルアー等の釣り用ルアーは、その基本構成として、ルアーボディの先端部に設けられたリップと、該ルアーボディに内蔵されたバランスウェイトとを備えている。この種のルアーは、リトリーブ（リール巻上げ）時に、リップに水圧を受けることで、ルアーボディがよじれるような挙動をしながら潜行して、肉食魚等を誘って、ルアーに食いつかせるようにしたものである。
【０００３】
この種のルアーでは、キャスティング性能及び潜行性能が極めて重要であり、それら性能を確保すべく、重心移動機構を備えたクランクベイト・ルアーが知られている（例えば、特許文献１参照）。
【０００４】
【特許文献１】特開平０８−２０５７１２号公報
【考案の開示】
【考案が解決しようとする課題】
【０００５】
上記のようにこの種のルアーは、着水後にリトリーブされることで、ボディをよじらせるような挙動しながら潜行して魚を誘うが、より激しく早い挙動や変則的且つトリッキーな挙動をさせると、魚を誘うのに一層効果的である。
【０００６】
しかしながら、近年のルアーにおいては、潜行時におけるルアーの安定性を重要視して設計されたものが多く、そのため基本的且つ単調なリズムの挙動をする。つまり、魚を誘い易い激しく早い挙動や変則的な挙動をし難く、またロッドアクションによってそのような挙動を意図的にさせることも実質的には困難であった。
【０００７】
本考案は係る実情に鑑みてなされたものであり、キャスティング性能及び潜行性能を確保しつつ、着水後のリトリーブ時に多彩な挙動をすることが可能な重心移動式ルアーを提供することを目的とする。
【課題を解決するための手段】
【０００８】
本考案の重心移動式ルアーは、ルアーボディの先端部に付設されたリップと、前記ルアーボディに内蔵されたバランスウェイトとを備え、前記バランスウェイトをガイド上に転動させて前記ルアーボディの長手方向に沿って移動し得るように構成された重心移動式ルアーであって、前記ガイドの前部に形成された前記バランスウェイトを保持可能なホルダ部を備え、前記ホルダ部は、前記バランスウェイトを前記ルアーボディの幅方向に転位させるスペースを有すると共にその底部のうち少なくとも一部がウェイトで構成されることを特徴とする。
また、本考案の重心移動式ルアーにおいて、前記ホルダ部の前記底部を、前記ルアーボディの底面より高く位置させたことを特徴とする。
また、本考案の重心移動式ルアーにおいて、前記ホルダ部の前記底部のうち少なくとも一部は金属面であることを特徴とする。
また、本考案の重心移動式ルアーにおいて、前記ホルダ部の前記底部のうち少なくとも一部は曲面状であることを特徴とする。
また、本考案の重心移動式ルアーにおいて、前記ホルダ部の前記底部のうち少なくとも一部は角形状又は異形状であることを特徴とする。
また、本考案の重心移動式ルアーにおいて、前記バランスウェイトは金属球であることを特徴とする。
また、本考案の重心移動式ルアーにおいて、前記ルアーボディに内蔵されて転動可能なボールを１つ又は複数備えたことを特徴とする。
【考案の効果】
【０００９】
本考案によれば、ガイド上で転動可能なバランスウェイトが、ルアーボディの長手方向に沿って移動し得るようにすることで、キャスティング時又は潜行時に、バランスウェイトをルアーボディの後部或いはホルダ部に移動させることができ、キャスティング及び潜行に最適な重心を取り得るように構成されている。
しかも、ガイドの前部に形成されたバランスウェイトを保持可能なホルダ部が、バランスウェイトをルアーボディの幅方向に転位させることのできるスペースを有するので、リトリーブ時のルアーボディのよじれるような動きによりバランスウェイトが左右に移動する。これにより、ルアーのローリング方向における倒れ込み動作（ローリング動作）を大きくすることができ、また、変則的な周期でバランスウェイトが左右に移動するのでロッドアクションを必要とせずに変則的な挙動をさせることができる。
また、バランスウェイトが左右に移動した際に、ルアーボディの内壁と接触して接触音が発せられることにより、より一層の集魚効果が期待される。
また、ホルダ部の底部がウェイトで構成されるため、分品点数を削減することができる等のコストダウン効果を図ることができる。
【００１０】
また、ホルダ部の底部をルアーボディの底面より高く位置させるようにすれば、重心位置が高くなるため、バランスウェイトが左右に移動した際のモーメントが高さの分だけ大きくなり、倒れ込み動作の傾斜角を一層大きくすることができる。
【００１１】
また、ホルダ部の底部を金属面とすれば、バランスウェイトとの接触音が一層大きくなる。即ち、例えばルアーがピッチング方向に挙動した際やロッドアクションをした際に、バランスウェイトがホルダ部から浮き上がって、再びホルダ部に保持される場合に底部の金属面と接触して甲高い接触音が発せられるため、魚をより一層誘うことができる。
【００１２】
また、ホルダ部の底部を曲面状とすれば、バランスウェイトがスムーズに移動することができるため、より早い（周期の細かい）挙動をさせることができる。
【００１３】
また、ホルダ部の底部を角形状や異形状とすれば、上記バランスウェイトがホルダ部から浮き上がって、ホルダ部に再び保持される場合に発せられる接触音が特有のものとなる。
【００１４】
また、ルアーボディに内蔵されて転動可能なボールを１つ又は複数備えれば、魚を誘う音を一層大きくすることができ、より一層集魚効果が期待される。
【考案を実施するための最良の形態】
【００１５】
以下、図面を参照して本考案の実施の形態に係る重心移動式ルアーについて説明する。図１は重心移動式ルアー１０（以下、単にルアー１０とも呼ぶ）の外観を示す側面図、図２は図１の側面図に対応する断面図、図３は図２におけるＡ−Ａ線断面図である。
【００１６】
図１において、１１はルアーボディである。１２はルアーボディ１１の先端部に付設されたリップ（潜水板）である。１３は釣糸が結び付けられるリングである。１４、１５はそれぞれフックハンガーであり、これらにフック（釣針）が係着される。
【００１７】
ルアーボディ１１は、合成樹脂等の材料により小魚に似せた外観形状となるように成形され、概略中空構造を有している。ルアーボディ１１は、組み立て前は長手方向において縦割りに２分割されており、分割状態においてリング１３やフックハンガー１４、１５等を組み付けてから、分割状態のそれぞれを互いに合わせて溶着等する。
【００１８】
また、リップ１２はルアーボディ１１に対して適度に下方に傾斜するように取り付けられている。
【００１９】
次に、図２の断面図を用いてルアーボディ１１の内部構造について説明する。図２において、１６はルアーボディ１１に内蔵されたバランスウェイトであり、好適には金属球により構成される。
【００２０】
１７はバランスウェイト１６が転動するガイドであり、ルアーボディ１１の内壁から立ち上がるように一体形成されたリブ状部１７ａにより構成される。バランスウェイト１６はこのガイド１７上を転動することにより、ルアーボディ１１の長手方向に沿って前後に移動する。ガイド１７は、ルアーボディ１１に対して適度に下方に傾斜するように形成される。このように傾斜するようにすることで、キャスティング時に後部に移動したバランスウェイト１６が、着水後に自動的に前部に向けて移動して、最適な重心位置が設定されることになる。
【００２１】
１８はバランスウェイト１６を保持するホルダ部であり、ガイド１５の前部に形成されている。ホルダ部１８の底部は、ルアーボディ１１の底面から所定の高さ（Ｌ）をもった位置に形成されている。また、ホルダ部１８は、着水後に前部に向けて移動してきたバランスウェイト１６を保持するために、ガイド１７の転動面からある程度の高さを以って段落ちするように形成される。
【００２２】
１９は潜行性能確保のために固定して設けられたシャフトウェイトであり、好適には円筒状或いは円柱状の金属シャフトにより構成される。この場合に、シャフトウェイト１９の上部側がホルダ部１８の底部を構成するように一部露出している（図３を参照）。シャフトウェイト１９をホルダ部１８の底部として利用することで、該底部を構成するための専用の部材を設けること等を必要とせず部品点数の削減をすることができ、また成形において型を簡易に構成することができるためコストダウンを図ることができる。なお、シャフトウェイト１９はルアーボディ１１の分割状態において、挟み込まれるようにして組み付けられる。
【００２３】
更に、図３に示すＡ−Ａ断面に参照されるように、ルアーボディ１１の内壁１１ａ及び１１ｂ間の距離がホルダ部１８の幅となるが、ホルダ部１８には、バランスウェイト１６を保持した際に、バランスウェイト１６をルアーボディ１１の幅方向に転位させることのできるスペースが確保されている。
【００２４】
該スペースを有することで、リトリーブ時のルアーボディ１１のよじれるような動きに沿ってバランスウェイト１６が幅方向に転位、すなわち左右に移動する（図３の矢印方向）。これにより、ルアー１０のローリング方向における倒れ込み動作（ローリング動作）を大きくすることができる。また、よじれるような動きに沿ってバランスウェイト１６が変則的な周期で左右に移動するのでロッドアクションを必要とせずに変則的な挙動をさせることができる。
【００２５】
また、バランスウェイト１６が左右に移動した際に、ルアーボディ１１の内壁と接触して接触音が発せられることにより、より一層の集魚効果が期待される。
【００２６】
また、上述したようにホルダ部１８の底部はルアーボディ１１の底面から所定の高さに位置する。これにより、重心が高くなることでバランスウェイト１６が左右に移動した際のモーメントが高さの分だけ大きくなるため、上記倒れ込み動作の傾斜角を一層大きくすることができる。
【００２７】
また、上述したようにシャフトウェイト１９はホルダ部１８の底部として構成される。即ち、ホルダ部１８の底部の中央部分は曲面状の金属面で構成されることとなる。これにより、リトリーブル時にルアー１０がピッチング方向に挙動した際やロッドアクションをした際に、バランスウェイト１６がホルダ部１８から浮き上がって、再び、ホルダ部１８に保持される場合に底部の金属面と接触して甲高い接触音が発せられるため、より一層の集魚効果が期待される。また、曲面状であることにより、バランスウェイト１６がスムーズに左右に移動することができるので、より早い（周期の細かい）挙動をルアー１０にさせることができる。
【００２８】
また、図２に参照されるように、ガイド１７よりも前方において、ルアーボディ１１内に形成されたスペースに複数のボール２０が内蔵される。ボール２０はリトリーブ時にスペース内で転動してルアーボディ１１の内壁と接触することで接触音を発し、魚を誘う音を一層大きくする。
【００２９】
以上のように、本実施の形態に係る重心移動式ルアー１０は、キャスティング性能及び潜行性能を確保しつつ、着水後のリトリーブ時に多彩な挙動をすることが可能である。
【００３０】
なお、本考案は、本実施の形態に限定されるものではなく、本考案の範囲内で変更等が可能である。
【００３１】
例えば、本実施の形態においては、ホルダ部１８の底部をシャフトウェイト１９で構成させるようにしたが、もちろん底部を曲面状の専用の部材を組み付けて構成したり、成形して構成したりしてもよい。
【００３２】
また、シャフトウェイト１９は円柱状のもので構成したが、例えば部分的に曲面を有するものでもよい。または、角形状や異形状（例えば凹凸形状）のものを用いて、ホルダ部１８の底部を角形状や異形状としてもよい。その場合、ボールウェイト１５と該底部との接触音が特有のものとなる。また、該底部は平面状であってももちろん構わない。
【図面の簡単な説明】
【００３３】
【図１】本考案の実施の形態に係る重心移動式ルアーの側面図である。
【図２】本考案の実施の形態に係る重心移動式ルアーの断面図である。
【図３】本考案の実施の形態に係る重心移動式ツアーの断面図である。
【符号の説明】
【００３４】
１０  重心移動式ルアー
１１  ルアーボディ
１１ａ  内壁
１１ｂ  内壁
１２  リップ
１３  リング
１４、１５  フックハンガー
１６  バランスウェイト
１７  ガイド
１７ａ  リブ状部
１８  ホルダ部
１９  シャフトウェイト
２０  ボール
【図１】
0003124012.tif 000003
【図２】
0003124012.tif 000004
【図３】
0003124012.tif 000005